(57)【要約】【課題】モード選択が単純でありながら、さらなる動作モード機能を提供するために設けられて適合される電気歯ブラシが好ましい。【解決手段】電気歯ブラシ１０の種々の動作モードアレンジメントは、約２分の単一のブラッシングイベントが、少なくとも２つの異なる動作モードと各モードに関する特定の時間とを有するように、電気歯ブラシのコントローラ部分１６に予めプログラミングすることを含む。他の動作モードは、ユーザに歯ブラシのアクションの特定の追加時間、例えば３０秒を供給するために、通常のブラッシングイベントの終了の後の特定のショートタイムの範囲内で歯ブラシのオン／オフボタン２０を操作する機能を含む。特別な歯ブラシインタフェースアレンジメントは、子供に全体のブラッシング期間に対するブラッシングを維持させるディスプレイ８０を含む。【選択図】図１Ａ
2014221431.tif 000002
【特許請求の範囲】
【請求項１】
ブラッシングイベントの間に１より多くの動作モードで電気歯ブラシを動作させるシステムであって、
歯ブラシ本体と、ブラシヘッドと、前記ブラシヘッドを駆動するモータと、前記モータのコントローラとをそなえた電気歯ブラシを有し、
前記コントローラは、前記電気歯ブラシが、単一のブラッシングイベントにおいて、一の選択時間に一の動作モードで動作してから、前記一の動作モードとは異なる、他の選択時間に少なくとも１つの他の動作モードに自動的に変更する、動作についての少なくとも１つのモード／時間プロファイルを生成するために予めプログラムされ、
これら動作モードに関する前記選択時間が、合計で単一のブラッシングイベントの時間になり、
当該システムは、前記モード／時間プロファイルの動作を開始するためにユーザによって操作可能なユーザインタフェースを有する、システム。
【請求項２】
前記モード／時間プロファイルの動作は、単一のモード制御部を操作することにより開始される、請求項１に記載のシステム。
【請求項３】
予めプログラムされた前記コントローラは、前記単一のブラッシングイベントの範囲内で２より多くの異なる動作モードを自動で生成する、請求項１に記載のシステム。
【請求項４】
選択された、動作のモード／時間プロファイルを前記コントローラに供給するために、遠隔地と前記電気歯ブラシとの間に通信リンクを含む、請求項１に記載のシステム。
【請求項５】
前記モード／時間プロファイルの動作は、特定のユーザに関する所望のブラッシング結果を生成するように設計されている、請求項１に記載のシステム。 
【請求項６】
前記モード／時間プロファイルは、ユーザが前記コントローラにコマンドを供給することによって規定される、請求項１に記載のシステム。
【請求項７】
前記コントローラは、前記電気歯ブラシ上のオン／オフデバイスの操作が、その前に選択されたモード／時間プロファイルの動作を自動で供給する態様で、単一のユーザによる、前に選択されたモード／時間プロファイルの動作を記憶する手段を含む、請求項１に記載のシステム。
【請求項８】
前記コントローラは、オン／オフスイッチの２つの連続する操作に応答して、それぞれ、選択された順に自動的に２つの異なるモード／時間プロファイルで前記電気歯ブラシを動作させることを記憶する手段を含む、請求項１に記載のシステム。
【請求項９】
前記２つの異なるモード／時間プロファイルは、互いに異なるユーザに関連付けられている、請求項８に記載のシステム。
【請求項１０】
前記２つの異なるモード／時間プロファイルは、単一のユーザに関連付けられる、請求項８に記載のシステム。
【請求項１１】
単一のブラッシングイベントの時間を超えてブラッシング時間を延長する手段を含む、請求項１に記載のシステム。
【請求項１２】
電気歯ブラシの自動動作の時間を延長するシステムであって、
前記電気歯ブラシのブラシヘッド部分の動作を制御する、前記電気歯ブラシに関するコントローラを有し、
前記コントローラは、ブラッシングイベントの終了の実質的に直後に、前記電気歯ブラシの動作に関する選択された量の追加時間を供給する、予めプログラムされた機能を持ち、
前記追加時間は、単一のブラッシングイベントの時間よりも大幅に小さい、システム。
【請求項１３】
前記コントローラは、ブラッシングイベントの終了後の所定短時間内におけるユーザによる制御エレメントの作動により、前記追加時間を供給する、請求項１２に記載のシステム。
【請求項１４】
前記コントローラは、ユーザによって前記コントローラに供給されたセットアップコマンドに応答して、前記追加時間を自動で供給する、請求項１２に記載のシステム。
【請求項１５】
前記追加時間は、２０〜４０秒の範囲内である、請求項１２に記載のシステム。
【請求項１６】
前記追加時間は、約３０秒である、請求項１２に記載のシステム。
【請求項１７】
前記制御エレメントは、前記電気歯ブラシに関するオン／オフスイッチである、請求項１３に記載のシステム。
【請求項１８】
前記制御エレメントの作動に関する前記所定短時間は、１０秒以内である、請求項１３に記載のシステム。
【請求項１９】
前記電気歯ブラシは、ユーザインタフェースを含み、
前記コントローラは、手動と自動との間で前記追加時間の作動ついての変更を許可するようにプログラムされる、請求項１２に記載のシステム。
【請求項２０】
前記電気歯ブラシは、ユーザインタフェースを含み、
前記コントローラは、直前のブラッシングイベントの間の動作モードとは異なる期間である前記追加時間の間に、前記電気歯ブラシの動作モードの選択を許可するようにプログラムされる、請求項１２に記載のシステム。
【請求項２１】
電気歯ブラシを使用している子供によるブラッシングを促進するためのシステムであって、
使用中のパワー歯ブラシに関するディスプレイデバイスを有し、
前記ディスプレイデバイスは、前記パワー歯ブラシの使用が、開始される時間からブラッシングイベントに関する所望時間の期間の終端まで継続する場合に、選択された項目が初期状態から最後の所望状態へと視覚的に進展するディスプレイプログラムを含む、システム。
【請求項２２】
前記ディスプレイデバイスは、前記パワー歯ブラシから分離している、請求項２１に記載のシステム。
【請求項２３】
前記ディスプレイデバイスは、前記パワー歯ブラシの一部である、請求項２１に記載のシステム。
【請求項２４】
前記所望時間の期間は、約２分である、請求項２１に記載のシステム。
【請求項２５】
前記ディスプレイデバイスに付随するオーディオ要素を含む、請求項２１に記載のシステム。
【請求項２６】
前記オーディオ要素は、音楽である、請求項２１に記載のシステム。
【請求項２７】
所望時間の期間にブラッシングを行うユーザの不履行の程度に依存して、前記選択された項目が、視覚的に進行を停止したり、劣化したりする、請求項２１に記載のシステム。
【請求項２８】
前記選択された項目の進行は、植物又は動物の成長又は発達を有する、請求項２１に記載のシステム。
【請求項２９】
前記選択された項目の進行は、選択されたタスクにおけるマシン動作を有する、請求項２１に記載のシステム。
【請求項３０】
前記項目の進行又は劣化は、前記パワー歯ブラシの使用の経過時間、ユーザによる歯に対する前記パワー歯ブラシの圧力、又は前記歯のブラッシングエリアの対象範囲に依存する、請求項２１に記載のシステム。
【請求項３１】
前記ディスプレイデバイスは、現在行っている及びブラッシングの期間において前にブラッシングが行われた歯の表示を伴って示される、歯をそなえた顔の画像である、請求項２１に記載のシステム。
【請求項３２】
子供による前記パワー歯ブラシのブラッシングの使用を示すデータディスプレイを含む、請求項２１に記載のシステム。
【請求項３３】
種々の年齢の子供による使用のためにパワー歯ブラシの動作特性を調節するシステムであって、
子供ユーザの選択年齢に関連付けられた、制御システムによって実行された前記パワー歯ブラシの動作特性を調節するために、内部又は外部ソースからの命令に応答するパワー歯ブラシと、
動作特性の選択レベルで前記パワー歯ブラシの動作を開始するエントリシステムとを有する、システム。
【請求項３４】
前記内部ソースは、ユーザの年齢に応じて前記制御システムにより生成される、前記動作特性を自動で調節する格納プログラムである、請求項３３に記載のシステム。
【請求項３５】
前記制御システムは、マイクロプロセッサを含む、請求項３３に記載のシステム。
【請求項３６】
前記パワー歯ブラシは、ユーザの選択年齢に関する動作特性を含むヘッド部分を含み、
前記ヘッド部分における前記動作特性は、前記ヘッド部分が前記パワー歯ブラシのハンドル部分に挿入されると前記制御システムに伝達され、
前記ヘッド部分は、子供の異なる年齢に適した動作特性を持つ異なるヘッド部分に交換可能である、請求項３３に記載のシステム。
【請求項３７】
前記開始の動作は、前記パワー歯ブラシに関連した充電器と前記パワー歯ブラシにおけるチャージコイル部とを介して実行される、請求項３３に記載のシステム。
【請求項３８】
前記開始の動作は、ＲＦＩＤチップにより実行される、請求項３３に記載のシステム。
【請求項３９】
前記開始の動作は、前記制御システムと通信する前記パワー歯ブラシ上のボタンにより実行される、請求項３３に記載のシステム。
【請求項４０】
前記開始の動作は、前記パワー歯ブラシのポート部分で受信されるように構成されたカートリッジで実行される、請求項３３に記載のシステム。
【請求項４１】
子供ユーザの選択年齢に関する動作特性は、ＲＦＩＤ部により供給される、請求項３３に記載のシステム。
【請求項４２】
子供の選択年齢に関する動作特性は、前記パワー歯ブラシに適合し、動作を開始する又は前記パワー歯ブラシに動作特性を供給する通信システムを含む被覆アセンブリにより供給される、請求項３３に記載のシステム。
【請求項４３】
前記通信システムは、前記パワー歯ブラシ上の受信エレメントと接触するコンタクトエレメントを有する、請求項４２に記載のシステム。
【請求項４４】
前記通信システムは、前記被覆アセンブリにおけるＲＦＩＤ部と、前記パワー歯ブラシ上の受信アセンブリとを有する、請求項４２に記載のシステム。
【請求項４５】
前記通信システムは、ホール効果アセンブリである、請求項４２に記載のシステム。
【請求項４６】
前記通信システムは、前記被覆アセンブリ上のマグネットアセンブリと、前記パワー歯ブラシ上の受信エレメントとを含む、請求項４２に記載のシステム。
【請求項４７】
選択年齢に関する動作特性は、前記パワー歯ブラシのポート部分で受信されるように構成されたカートリッジにより供給される、請求項３３に記載のシステム。
【請求項４８】
前記動作特性は、振幅、周波数、動作時間、及びブラッシング圧力のうちの選択された１又はそれ以上を含む、請求項３３に記載のシステム。
【発明の詳細な説明】
【技術分野】
【０００１】
本発明は、概して、電気歯ブラシの動作制御に関し、より具体的には、電気歯ブラシの種々の動作モードの使用及び選択に関する。
【背景技術】
【０００２】
一部の電気歯ブラシは、歯ブラシの本体上の制御ボタンを介してユーザにより選択可能な複数の動作モードを持ち、この制御ボタンは、一般に、"ユーザインタフェース"と呼ばれる。各モードは、一般に、異なるブラッシングアクションを持つ。例えば、ノーマルモードは、歯のノーマルブラッシング／クレンジングに特に適合可能である一方で、ジェントルモードは、より小さいブラシムーブメントを持ち及び／又は低速で動くようなアクションを持つ。他のモードは、ブラシがパルスアクションを持つマッサージモードであってもよい。
【０００３】
これらのモードは、様々なモードの可能性の一例にすぎない。一般に、動作モードは、一旦選択されると、全体のブラッシングイベントの間、即ち２分間、歯ブラシの動作を制御するだろう。特定のユーザが、単一のイベントタイムの範囲内に異なるモード、即ち２分の範囲内に２又はそれ以上のモードを組み合わせることを望む場合には、ユーザは、所望の特定のモード／時間のプロファイル等を時間毎に手動で作成するためにユーザインタフェース制御を操作しなければならない。これは、多くの場合、ユーザが常に確実に遂行するためにあまりに複雑であるか不便である。それ故、単一のブラッシングイベントに対して複雑なブラッシングプロファイルを生じさせるための単純な制御が必要である。このような制御は、有益な効果を引き起こすことが知られているこれらのモード／時間プロファイルに対して特に望ましいことである。ユーザが単純で直接的な制御オペレーションによって利用可能な所望のプロファイル等を持つことは有利であるだろう。
【０００４】
加えて、多くの場合、選択した短時間の間、即ち３０秒までブラッシングタイムを延長するための単純な手段を持つことが望ましい。一般に、これは、現在、ノーマルイベントの終了の後に再びオン／オフボタンを単純に押して、その後、ブラッシングの所望追加時間が経過した場合に手動でブラッシングを終了させることにより遂行される。しかしながら、これは、多くの場合、監視することが困難である。
【０００５】
最後に、子供が適切に及び全体所望時間（full desired time）にブラッシングを行うことを促進するような、一部の特別なブラッシング事情（brushing circumstance）があり、これは、特定の動作モードとして広範に分類可能である特別なブラッシングアレンジメントにより高められてもよい。また、親が子供のブラッシングパターンを監視するための便利な読み出し情報をそなえた、子供のブラッシングの記録を保持することが好ましいだろう。
【発明の概要】
【発明が解決しようとする課題】
【０００６】
このように、モード選択が単純でありながら、さらなる動作モード機能を提供するために設けられて適合される電気歯ブラシが好ましく、これにより、ユーザに対する電気歯ブラシの有益な使用を増大させる。
【課題を解決するための手段】
【０００７】
従って、ここでは、ブラッシングイベントの間に１より多くの動作モードで電気歯ブラシを動作させるシステムであって、歯ブラシ本体と、ブラシヘッドと、前記ブラシヘッドを駆動するモータと、前記モータのコントローラとをそなえた電気歯ブラシを有し、前記コントローラは、前記電気歯ブラシが、単一のブラッシングイベントにおいて、一の選択時間に一の動作モードで動作してから、前記一の動作モードとは異なる、他の選択時間に少なくとも１つの他の動作モードにプログラムに応じて自動的に変更する、動作についての少なくとも１つのモード／時間プロファイルを生成するために予めプログラムされ、これらの動作モードに関する前記選択時間が、合計で単一のブラッシングイベントの時間になり、当該システムは、前記モード／時間の動作プロファイルを開始するためにユーザによって操作可能なユーザインタフェースを有するシステムが開示されている。
【０００８】
また、電気歯ブラシの自動動作の時間を延長するシステムであって、前記電気歯ブラシのブラシヘッド部分の動作を制御する、前記電気歯ブラシに関するコントローラを有し、前記コントローラは、ブラッシングイベントの終了の実質的に直後に、前記電気歯ブラシの動作に関する選択された量の追加時間を供給する、予めプログラムされた機能を持ち、前記追加時間は、単一のブラッシングイベントの時間よりも大幅に小さい、システムが開示されている。
【０００９】
また、電気歯ブラシを使用している子供によるブラッシングを促進するためのシステムであって、使用中のパワー歯ブラシに関するディスプレイデバイスを有し、前記ディスプレイデバイスは、前記パワー歯ブラシの使用が、開始される時間からブラッシングイベントに関する所望時間の期間の終端まで継続する場合に、選択された項目が初期状態から最後の所望状態へと視覚的に進展するディスプレイプログラムを含む、システムが開示されている。
【００１０】
また、種々の年齢の子供による使用のためにパワー歯ブラシの動作特性を調節するシステムであって、子供ユーザの選択年齢に関連付けられた、制御システムによって実行された前記パワー歯ブラシの動作特性を調節するために、内部又は外部ソースからの命令に応答するパワー歯ブラシと、動作特性の選択レベルで前記パワー歯ブラシの動作を開始するエントリシステムとを有する、システムが開示されている。
【図面の簡単な説明】
【００１１】
【図１Ａ】本発明の構造を示す電気歯ブラシの簡略化した図である。
【図１Ｂ】電気歯ブラシのユーザインタフェース部分の一例のダイアグラムである。
【図２】延長時間インジケータを含む、種々の動作モードを示す電気歯ブラシのユーザインタフェース部分のダイアグラムである。
【図３Ａ】２ボタン制御インタフェースを用いて種々のモード間において変更するシステムを示すユーザインタフェースダイアグラムである。
【図３Ｂ】２ボタン制御インタフェースを用いて種々のモード間において変更するシステムを示すユーザインタフェースダイアグラムである。
【図３Ｃ】２ボタン制御インタフェースを用いて種々のモード間において変更するシステムを示すユーザインタフェースダイアグラムである。
【図４Ａ】図３Ａ及び３Ｂの２ボタンインタフェースを用いて自動及び手動の延長時間機能を変更するシステムを示すインタフェースダイアグラムである。
【図４Ｂ】図３Ａ及び３Ｂの２ボタンインタフェースを用いて自動及び手動の延長時間機能を変更するシステムを示すインタフェースダイアグラムである。
【図５Ａ】延長時間のモードを選択するシステムを示すインタフェースダイアグラムである。
【図５Ｂ】延長時間のモードを選択するシステムを示すインタフェースダイアグラムである。
【図５Ｃ】延長時間のモードを選択するシステムを示すインタフェースダイアグラムである。
【図５Ｄ】延長時間のモードを選択するシステムを示すインタフェースダイアグラムである。
【図６】図５Ａ〜５Ｄにおいて示された典型的な動作が完了した場合のインタフェースを示している。
【図７Ａ】子供が使用するブラッシングシステムを示す簡略化した図である。
【図７Ｂ】子供が使用するブラッシングシステムを示す簡略化した図である。
【図８】子供が使用する他のブラッシングシステムを示すダイアグラムである。
【図９Ａ】図８のシステムの動作を示す一連のダイアグラムである。
【図９Ｂ】図８のシステムの動作を示す一連のダイアグラムである。
【図９Ｃ】図８のシステムの動作を示す一連のダイアグラムである。
【図９Ｄ】図８のシステムの動作を示す一連のダイアグラムである。
【図１０】子供が年齢を重ねるに際して歯ブラシの動作特性を変更するための種々の実施形態をそなえた歯ブラシの概略図である。
【図１１】歯ブラシの動作特性を変更するための被覆部をそなえた歯ブラシの概略図である。
【図１２】図１１の被覆部の断面図であって、歯ブラシの動作特性を変更したり歯ブラシの動作を開始したりする種々の手法を示している。
【図１３】図１１の被覆部の断面図であって、歯ブラシの動作特性を変更したり歯ブラシの動作を開始したりする種々の手法を示している。
【図１４】図１１の被覆部の断面図であって、歯ブラシの動作特性を変更したり歯ブラシの動作を開始したりする種々の手法を示している。
【発明を実施するための形態】
【００１２】
前記で指摘したように、多くの電気歯ブラシは、現在、１より多くの動作モード機能を持っている。各モードは、所望の効果を供するために、特定のブラシムーブメント（ムーブメントの振幅及びパターン）及び周波数を持つ。しかしながら、このようなモードは、一般に２分であるブラッシングイベントの全時間で動作する。
【００１３】
図１Ａ及び１Ｂは、単一のブラッシングイベントを有する２又はそれ以上のモードを含むようにプログラムされた電気歯ブラシのアレンジメントを示している。このようなアレンジメントにおいては、組み合わせモードオペレーションのそれぞれに対して、選択時間をそれぞれそなえた２又はそれ以上の異なる動作モードが、単一のブラッシングイベントと同じである総使用時間（total time duration）に関してプログラムされる。各モードに関する選択時間をそなえた組み合わせモードは、図１Ｂにおいて用いられるような、単一のブラッシングイベントが２又はそれ以上の個別のモードを有し、これらの個別のモードのそれぞれがノーマルブラッシングタイムの範囲内での事前選択時間（pre-selected time）を持つことを意図する、モード／時間プロファイル又は代わりにルーティンとこれ以降呼ばれる。
【００１４】
モード／時間プロファイルの一例は、最初に、４０秒間の低振幅ウォームアップモード、続いて、１分間のディープマッサージ（脈動）モード又はノーマルブラッシングモード、続いて、ブラッシングイベントを終了するまでの２０秒間のジェントルモードを含むだろう。異なるモード及び時間の多くの組み合わせが可能である。
【００１５】
このような機能を持つ図１の電気歯ブラシ１０は、充電式バッテリ１４により順次給電される標準的なモータ１２で動作する。モータ１２は、歯ブラシのブラシヘッド部分１８のムーブメントについての選択された振幅及び周波数を供給するようにモータ１２を制御可能なプログラムコントロールアセンブリ１６により制御される。ブラシヘッドムーブメントのパターンも、モータに印加される付勢信号により制御することができる。ブラシヘッドムーブメントは、アーチ状、前後、脈動、又は他の種類のムーブメントである。ブラシヘッドムーブメントの振幅及び周波数も、異なる効果を伴うように制御することができる。歯ブラシがそのオペレーションを継続する場合には、可聴表示（audible indication）が、特定のモードの各変更を指示しているユーザに供給されてもよい。
【００１６】
歯ブラシに関する特定のモード又はモード／時間プロファイルの選択は、ユーザインタフェース２０により制御される。ユーザが利用可能なそれぞれのモード及びモード／時間プロファイルは、工場でコントローラ１６中にプログラムされる。モード又はモード／時間プロファイルの選択に関するユーザインタフェースの一例が図１Ｂに示されており、ここでは、インタフェース２０は、オン／オフボタン２２、モードボタン２４、ユーザにより選択可能な３つの異なるモード２６、及び特定の時間をそれぞれそなえた特定のモードの組み合わせを有するモード／時間プロファイル（ルーティン）２８を含んでいる。
【００１７】
インタフェースは、モードボタン２４の使用により、示された３つのモード及び示された２つのモード／時間プロファイルを循環してもよい。さらに、この特定のインタフェースは例示であり、異なる複数のモード／時間プロファイルと同様に、異なる複数のモードもコントロールアセンブリ１６にプログラムされ、インタフェース上に特別に示されることができる。図示された基本的な概念は、それぞれのモード／時間プロファイルがコントロールアセンブリに実際にプログラムされており、ユーザインタフェースは、単一のモードボタンを操作することにより、インタフェースユニットが所望のモード／時間プロファイルをサイクルすることであり、このとき、オン／オフボタンが後述の如く操作される場合に所望のモード／時間プロファイルが自動的に開始されるように設けられることである。他の実施形態においては、ユーザは、彼／彼女の特別な欲求や願望（needs/desires）に合わせて、コントロールアセンブリに特定のモード／時間プロファイルをプログラムできる。
【００１８】
歯ブラシは、ブラシがオフ状態の場合又はブラシがオンにされていた場合に、特定のモード又はモード／時間プロファイルの選択が発生するようにプログラムされてもよい。
【００１９】
図１Ａ及び１Ｂのアレンジメントの他の態様においては、特定のモード／時間プロファイルが、遠隔の歯科医院３４及びユーザのコンピュータのような他の場所におけるデバイスからリンク３２を介して歯ブラシに供給されてもよい。歯ブラシでは、所望のモード／時間プロファイル情報が、概して３６で示されたチャージコイル通信システムにより受信される。特定のモード／時間プロファイルが、特定の患者の欲求に適合する特定の有益な結果を持つことが明らかであり、歯医者（又はユーザ）が、習慣モード／時間プロファイルを構築して、歯ブラシの製造後に歯ブラシに供給することができるので、このアレンジメントは有利である。
【００２０】
また、単一のユーザが、上述したようなモードボタンを操作することにより各時間を選択することなく、オン／オフスイッチを押すことにより、歯ブラシに自動的に所望のオペレーションを行わせることができるように、ユーザによる特定のモード／時間プロファイルの選択がコントローラ１６により記憶（remember）されてもよい。これは、プログラムされたモード／時間プロファイルの使用を、なお一層容易にするとともにより便利にする。
【００２１】
また、コントローラ１６は、家族における２人の別個のユーザのような、２つ（それ以上の場合もある）の利用可能なモード／時間プロファイルの使用を記憶することができ、歯ブラシの連続起動間での経過時間の関数として歯ブラシの一連の動作についてのこれらの動作プロファイルを生成する。例えば、最初にブラシを起動させると、第１のユーザに関する第１のモード／時間プロファイルを生じさせ、その後、１回目の起動後の前回（既知）の経過時間の範囲内で２回目に歯ブラシを起動させると、他のユーザに関する第２のモード／時間プロファイルを生じさせるだろう。
【００２２】
さらに、コントローラ１６は、朝のブラッシングのような、その日の或る時間の一のモード／時間プロファイルや、その日の他の選択時間、即ち単一のユーザの夕方のブラッシングに関する第２のモード／時間プロファイルを記憶することを可能とする。また、これは、２より多くのブラッシングの発生、即ち、異なるモード／時間プロファイルをそれぞれそなえた３つのブラッシングの場合であっても行うことができる。
【００２３】
それ故、コントローラ１６にプログラムされた選択モード／時間プロファイルを持つことで、ユーザが、単純なモードボタンの操作、又はある場合には直ちにオン／オフスイッチを操作することのいずれかを介して、ユーザによる単純で直接的なアクションを介して、複雑なブラッシング動作パターン（プロファイル）を達成するための信頼性のある便利なアレンジメントを生じさせる。
【００２４】
他のモードアレンジメントにおいては、単一のイベントに関するブラッシングタイムは、歯ブラシの制御インタフェース部分上のユーザの一のアクションによって、追加短時間の間（additional short period of time）、例えば３０秒の間、延長されてもよい。このような制御インタフェースは、図１Ｂと同様、図２に示されている。このインタフェースにおいては、オン／オフボタン４０、モードボタン４２、３つの異なるユーザモードを示す３つのＬＥＤ４４、及び延長時間モードを示すＬＥＤ４６があり、これらは、手動又は自動で設定される。
【００２５】
ノーマルブラッシングイベントの終了後、例えば、２分のブラッシングの後の本制御アレンジメントにおいては、ブラシは自動的にオフになるだろう。本アレンジメントにおいては、終了の後にオン／オフボタン４０を押すことで、ブラシのオペレーションの延長時間を生じさせる。３０秒の追加時間が標準であることが好ましい一方で、この時間は、例えば、約２０〜４０秒の範囲において多少長くても短くてもよい。この基本的な概念は、通常の２分の時間を超えての延長を容易に選択可能な特定の動作モードの機能を提供することである。これを達成するために、ノーマルブラッシングイベントの終了後の或る時間（例えば、１５秒）の範囲内に操作されるオン／オフボタンに応答して延長時間がオンになるように、歯ブラシコントローラ１６（図１）がプログラムされる。
【００２６】
一のアレンジメントにおいては、延長時間の間（extended time period）中の歯ブラシの動作モードは、ノーマル（２分）ブラッシングイベントにおける動作モードと同様であるだろう。図３Ａ〜３Ｃは、歯ブラシのノーマル動作のモードを変更するための、モードボタン６０の一連の操作方法を示している。モードボタン６０を押すことで、種々の有効なモード間で歯ブラシの動作を順次変更するだろう。図示された実施形態においては、ノーマルブラッシングオペレーションでＬＥＤ６２が点灯してもよく（図３Ａ）、ジェントルモードオペレーションでＬＥＤ６４が点灯してもよく（図３Ｂ）、又はマッサージモードオペレーションでＬＥＤ６６が点灯してもよい（図３Ｃ）。他のモードが、特定のブラシアクションにそれぞれ伴って実行されてもよい。
【００２７】
延長時間／モードアレンジメントの更なる発展において、ユーザは、延長時間の動作パラメータを設定、即ち確立する機会を持つ。第１のセットアップステップにおいて、延長時間アレンジメントは、インタフェース上の"手動"操作として示された、上述したようなノーマルイベントの終了後の特定時間の範囲内でオン／オフスイッチを押すことにより手動で実行されてもよく、又は、ユーザが、インタフェースで如何なることも更に行うことなく追加時間を自動で受信して、自動で実行されてもよい。加えて、延長時間の期間における歯ブラシの実際の動作モードが、ユーザによって選択されてもよい。
【００２８】
マニュアル／オートマチック（manual v. automatic）の選択及び延長時間の期間に関する特定のモードの選択は、図４Ａ、４Ｂ、５Ａ〜５Ｄ、及び６で図示され並びに以下の段落で説明される"セットアップ"プロセスにより達成されてもよい。
【００２９】
セットアッププロセスの第１のステップにおいては、延長時間の設定は、手動と自動との間で切り替えられてもよい。上記で示したように、手動アレンジメントにおいては、延長時間を希望する毎に、オン／オフスイッチを上記のように操作しなければならない。これに対し、自動アレンジメントにおいては、延長時間は、各ブラッシングイベントの後に自動で供給される。歯ブラシに工場により供給される示されたプログラムセットアップアレンジメントでは、ユーザは、一の実施形態において約３秒の間、オン／オフボタン６７を押す。この時間は、セットアッププロセスがユーザにより望まれる信頼性のある指示となるような十分な長さにならなければならない。セットアッププロセスが始まる。手動／自動ＬＥＤ６８は、点滅して、延長時間動作の現在の状態を示すだろう。示された実施形態においては、オレンジが手動オペレーションの状態を示す一方で、緑が自動の状態を示す。他の色を用いることができ、同様に、オペレーションの２つの状態を区別するために、点滅スピードのような、他の視覚的表示装置を用いることもできる。代わりに、２つの間隔を空けたＬＥＤを用いることができ、一方が手動を示し、他方が自動を示してもよい。手動／自動ＬＥＤ６８が点滅している場合のモードボタン７０の動作は、要望通りに手動又は自動の間で延長時間を変更するだろう。
【００３０】
次のセットアップオペレーションにおいては、ユーザは、レギュラーブラッシングの期間について選択されるモードとは異なる、延長時間（期間）に関するモードを選択してもよい。これは、ブラッシングを終了するために、ブラッシングイベントの特定のブラッシング部分、例えば歯茎のマッサージを持つことをユーザに許可する際に有利である。延長時間に関するモードは、ユーザがセットアッププロセスにおいてモードボタンを押すことにより変更され、次に、ジェントルモード（ＬＥＤ７１が点灯）を図示している図５Ｂに示すような第２のモードに動作モードを変更し、その後、図５Ｃにおいてマッサージモード（モードＬＥＤ７２が点灯）である次のモードに変更する。動作状態が変更する場合には、選択されている直接のモードのＬＥＤが点滅し始める。モードサイクルの最後の段階では、図５Ｄに示すように、いかなるモードＬＥＤも点滅せず、これは、延長時間のフィーチャが"オフ"状態であることを示している。
【００３１】
延長時間セットアッププロセスにおいてユーザにより選択された延長時間に関する動作モードの後、オン／オフボタン６７が操作される。これは、選択期間（selected period）、例えば３０秒の間、インタフェースＬＥＤにより表示されている選択セットアップを生じさせる。図６は、手動／自動ＬＥＤがオレンジ又はグリーンのいずれかで点灯する場合における、一の延長時間セットアッププロセスの結果を示しており、歯ブラシの動作は、延長時間の期間においてジェントルモードになるだろう。
【００３２】
特に図示しないが、セットアップの手順は、ユーザが特定の延長時間の期間を設定する機能を含むことができる。３０秒のデフォルトタイムが含まれてもよい。
【００３３】
図７Ａ、７Ｂ、８、９Ａ〜９Ｄは、ブラッシングについて子供を促進させるとともに、子供のブラッシング習慣及び／又は成長を監視するために、対応する情報を親に提供するためのアレンジメントを示している。図７Ａ及び７Ｂに図示された一実施形態においては、歯ブラシシステムは、以下で述べるように、選択した基準に対する歯ブラシの使用を示すディスプレイ８０を含む。このアレンジメントは、歯ブラシのオペレーションを変更するよりもむしろ、歯ブラシとともにユーザのパフォーマンスが表示される特別な動作モードについての歯ブラシを示す。このように、これはユーザインタフェースモードである。歯ブラシのユーザとユーザ可視である別個のディスプレイとの間の通信は、無線（ＲＦリンク）又は有線で行うことができる。また、このディスプレイは、ハンドルのような、歯ブラシ上に搭載されてもよい。
【００３４】
この実施形態においては、例えば、実際のブラッシングの使用の２分のパフォーマンス基準が確立され、花がブラッシングの進展を図示するために用いられる。ブラシがオンにされる場合に、花は、最初において、図７Ａの９０で図示されるような初期状態である。ブラシが最初にオンにされてから実際に使用されている時間が増大するにつれて、花は、自然の順序で花が咲くように次第に開き、２分になるまでに、満開状態に達する。この進展は、ディスプレイパネル９２〜９５で図示されている。勿論、５つより多くのパネルが、２分間の十分なブラッシングを少しずつ進展させるために用いられてもよい。基本的な概念は、最初（つぼみ）の状態から完全に開花するまで進展する、花のような、アニメ表示を用いることである。これは、花が完全に開花するまで発展するのを見るために、ブラッシングをユーザに続けさせる。
【００３５】
代わりに、歯ブラシが２分間全体（full two minutes）に対して使用されない場合には、花の表示は、消極的な方向に動いてもよい。これは、１００〜１０４のディスプレイで図示されている。ディスプレイパネルの図示において、花が進展する度合は、一のイベントにおける歯ブラシの実際の使用と使用の所望時間との相違に依存する。
【００３６】
本発明の一の特定の実施形態／イラストとして花が示され、説明されているが、他のイラストを用いることができる。一例としては、地球から月に行く宇宙船であり、歯ブラシの２分間全ての使用は、月に満足に着地するという結果を生じさせるだろう。動物及び種々のマシンを含む、他の同様のイラストを当業者が確実に思い付くだろう。さらに、アニメーションは、歯ブラシのヤングユーザの利益のための、実際の使用と使用の所望形式とを関連付ける視覚的な表示を提供する。
【００３７】
また、同じ原理は、例えば、口の種々の四分円（quadrant）の間でのブラシのブラッシング圧力又は適当なムーブメントのように、ブラッシングの時間以外に達成すべき拡げられた基準が用いられてもよい。積極的及び消極的の双方についてのイラストパネルにおける進展は、種々のブラッシング基準を伴う子供の全てに渡るコンプライアンスに依存して、異なるプログラミングブランチ及びイラストパネルを伴ってより洗練されてもよい。さらに、これらの基準は、特に口の全ての領域の、全体（overall）のブラッシングタイム、ブラッシング圧力、及び適当な時間を持つ対象範囲（coverage）であってもよい。
【００３８】
このアレンジメントのバリエーションが図８及び図９Ａ〜９Ｄに示されている。図８は、口全域に歯を表示するユーモラスな顔をそなえたディスプレイデバイス１１０を示している。このデバイスは、伴奏（musical accompaniment）の有無に関わらず用いられてもよい。また、これは、別個のディスプレイデバイスであってもよく、又は歯ブラシのハンドル上であってもよい。図９Ａ〜９Ｄに示すように、口の種々の四分円の対象範囲が、種々の四分円の間で起こるブラシのムーブメントとしてディスプレイ上に図示されてもよい。図Ａ９〜９Ｄは、ブラシの一の連続する対象範囲を示し、さらに、子供よる歯ブラシの使用を詳細に図示している。
【００３９】
子供による歯ブラシの実際のブラッシングの使用に関する情報は、データとして蓄積されてもよく、その後、親又は歯医者のような他の関連する人の便宜のために、歯ブラシシステムにより表示されてもよい。親により選択可能であるこのモードにおいては、個々の子供に関するブラッシングタイムを特別に含む歯ブラシの使用は、即日、前日、又は数日前若しくはそれ以上におけるブラッシングのような、選択時間（selected time period）の間、親の情報のために直ちに表示される。親は、子供のブラッシングパフォーマンスを監視するために実データの形式で即時のフィードバックを受信する。
【００４０】
同時に、装置は、子供が所望のブラッシングスケジュールに応じるように、ビジュアル及びオーディオの促進（encouragement）及び刺激（stimulation）を提供している。
【００４１】
それ故、電気歯ブラシに関する種々の動作モードアレンジメントが開示されることになる。これらのモードは、ブラシのムーブメント及び振動数を含む、歯ブラシの特定のオペレーションに関係している。他のモードにおいては、ブラッシングタイムのバリエーションが提供される。また、ユーザインタフェース／パフォーマンスアレンジメントが開示されており、これは、所望のブラッシング習慣を保持する子供に対して促進及び刺激を提供するように設計されている。
【００４２】
図１０〜１４は、期間（span time）、一般的には数年に渡る子供による歯ブラシの使用について、適当な及び予め決められた態様として、パワー歯ブラシのパフォーマンス特性が変わるシステムを示している。最初のセッティングは、３若しくは４歳又は場合によってはそれ以上の若年層の子供に適しており、その後、子供が歯ブラシの十分なパフォーマンスを容易に耐えられるポイントまで定期的に変更する。これは、一般的には、子供が大人の歯を持ってしばらくしてからであろう。
【００４３】
パワー歯ブラシが１２０で概して図示されている。一実施形態においては、パワー歯ブラシは、種々の選択年齢でのパワー歯ブラシに関するパフォーマンス／動作特性を含む格納プログラム１２２を含んでいる。マイクロプロセッサコントロール１２３は、種々の既知のアレンジメントのいずれかであるモータアセンブリ１２５を介して歯ブラシを操作する。これらのパフォーマンス特性は、例えば、ブラシヘッドのムーブメントの振幅、ブラシヘッドムーブメントの周波数、及びブラッシングタイムを含んでいる。また、他の特性が含まれてもよい。１又はそれ以上のこれらの動作特性は、それぞれの異なる年齢レベルに応じて変化する。また、パフォーマンス特性は、ユーザの反応に基づく負荷（load）に関する適応ルーティンを含んでいる。ブラシは、歯に対するブラシのユーザ圧力を感知することができ、振幅を、ブラシの実際の使用について補償するための選択量に合わせることができる。例えば、ユーザが歯に対してブラシの毛をしっかりと押し付けている場合には、振幅が選択量に増加され、その一方で、ユーザが小さな力を生成し、又は歯に僅かに接触している場合には、モーションの振幅は減少し、逆もまた同様である。
【００４４】
格納プログラム１２２においては、種々の年齢のための歯ブラシに関する各パフォーマンス特性の格納された値は、子供及び１０代に関連する既知のデータ、例えば、年齢に関連する適当なパフォーマンスセッティングに従っている。このように、歯ブラシのオペレーションは、ユーザがフルパワーオペレーションを許容するまで、特定の年齢に関連したステップに特に合わせられる。１又はそれ以上の種々の動作特性は、種々の予め選択された年齢間隔、例えば２年毎に変えられてもよい。また一方で、この変化は、他の年齢で行われてもよい。
【００４５】
動作の初期レベル、又は初期使用での子供の年齢は、種々の手法を経て歯ブラシに入力されてもよい。これは、選択されたレベル、例えば４歳で格納プログラムを開始する。一の手法は、歯ブラシ上の複数のボタン１２４の使用によるものである。他の手法は、歯ブラシにおけるチャージコイル１２８又は他の独立したコイルと充電器における対応するコイルとを介しての、歯ブラシの充電器１２６と歯ブラシとの間での通信によるものである。充電器は、所望情報のエントリのためのキーパッド又はタッチスクリーン１３０を含んでもよい。また更なる手法は、特定の年齢／パフォーマンスレベルで格納プログラムを開始するために、歯ブラシに固定又は近接することができる標準的なＲＦＩＤタグ１３４である。ＲＦＩＤタグは、歯ブラシに付着可能なステッカに含まれてもよい。各ケースにおいては、歯ブラシにおけるマイクロプロセッサは、特定の年齢／レベルに関するパフォーマンス特性の選択レベルを生成するために、種々のエントリ手段を経て供給された情報を認識するだろう。歯ブラシは、その後、選択されたパフォーマンス特性に従うだろう。
【００４６】
前述した種々のエントリ手段は、特定のレベルで格納プログラム１２２を開始する一方で、特定のエントリレベルの年齢に関する実際のパフォーマンス特性を入力するために用いられてもよい。これは、他の年齢でも同様に行われる。このようなアレンジメントにおいては、パフォーマンス情報は、内部の格納プログラムに代えて、歯ブラシの外部ソースから供給される。
【００４７】
他のアレンジメントにおいては、エントリ又は動作の情報１３６は、ハンドル部分１３９から取り外し可能である、歯ブラシのヘッド部分１３７により供給されてもよい。異なるヘッドが、特定の年齢に関する動作特性を持ってもよい。特定の年齢に対応する一のヘッドの、異なる年齢に関する他のヘッドへの交換は、情報がヘッドから歯ブラシに関するマイクロプロセッサコントロール１２３に供給される場合に、歯ブラシに関する動作特性の変更を生じさせる。加えて、それぞれの選択年齢レベルに関する新たなパフォーマンス特性をそなえた全く新しい歯ブラシを持つことが可能となる。
【００４８】
図１１〜１４に示すような更なる実施形態においては、選択年齢レベルに対してパフォーマンス特性を開始／変更するための適応エレメントを持つ被覆部（skin member）１４０を持った種々の被覆アセンブリ（skin assembly）がパワー歯ブラシと用いられてもよい。被覆部は、ハンドル１４３の全体又は部分を被覆することができる。被覆部は、スナップ方式若しくはスライド方式のアレンジメント、Velcro（登録商標）、粘着性、磁石、又は他のアレンジメントにより取り付けられてもよい。被覆アセンブリ１４０は、エイジアピーリング（age-appealing）の設計／設定に伴って、特定の年齢にアピールするように設計されてもよい。図１２を参照すると、被覆部１４０は、被覆部の内側表面上の接触エレメント１４２を介して動作特性を変更するために用いられてもよく、これは、被覆部上の部分１４５を押すことにより起動される、歯ブラシ上の対応するエレメント、具体的にはＰＣボード１４６上のエレメントと相互作用するだろう。それに代えて、デバイスを起動するためのスイッチが、ＲＦＩＤエレメント又は同様のシステムを介してハンドルと通信する被覆部の内部にあってもよい。
【００４９】
図１３を参照すると、被覆部１４０は、格納プログラムからの適当な開始情報又は実際のパフォーマンス特性を供給する歯ブラシについて、ＲＦＩＤレシーバ及びアンテナ１４７と併用されるＲＦＩＤタグ１４４（ＲＦＩＤチップ及びアンテナ）を代わりに含んでもよい。図１４に示された他の実施形態においては、被覆部１４０が、ハンドル又はＰＣボードにおけるセンサ１４８及び被覆部におけるマグネット１４９をそなえたホール効果アレンジメントを用いてもよい。
【００５０】
また、被覆は、所望のパフォーマンス特性を順に設定するハンドル内のエレメントに対応することより感知される一連のマグネットを含んでもよい。
【００５１】
更なる実施形態においては、開始情報又は動作特性は、歯ブラシ内の受信ポート１５２に挿入可能なカートリッジ１５０で供給されてもよい。受信ポートは、ベースを含むハンドル上のいかなる場所に配置されてもよい。受信ポートは、マイクロプロセッサ１２３に接続されるだろう。個々のカートリッジは、例えば、ユーザに関する選択年齢で、歯医者により逐次供給されてもよい。
【００５２】
異なる実施形態を伴う図１０〜１４の前述のシステムは、パワー歯ブラシに用いられてもよく、子供の種々の年齢に関する特定の適切な方法で動作するだろう。それ故、パワー歯ブラシの利点は、比較的幼齢から大人用パワー歯ブラシを使えるまでの子供に対して得られる。
【００５３】
本発明の種々の実施形態が例示の目的で開示されているが、種々の変化、変更、及び代用が特許請求の範囲を離れることなく実施形態に組み込まれてもよいことが理解されるべきである。
【図１Ａ】
2014221431.tif 000003
【図１Ｂ】
2014221431.tif 000004
【図２】
2014221431.tif 000005
【図３Ａ】
2014221431.tif 000006
【図３Ｂ】
2014221431.tif 000007
【図３Ｃ】
2014221431.tif 000008
【図４Ａ】
2014221431.tif 000009
【図４Ｂ】
2014221431.tif 000010
【図５Ａ】
2014221431.tif 000011
【図５Ｂ】
2014221431.tif 000012
【図５Ｃ】
2014221431.tif 000013
【図５Ｄ】
2014221431.tif 000014
【図６】
2014221431.tif 000015
【図７Ａ】
2014221431.tif 000016
【図７Ｂ】
2014221431.tif 000017
【図８】
2014221431.tif 000018
【図９Ａ】
2014221431.tif 000019
【図９Ｂ】
2014221431.tif 000020
【図９Ｃ】
2014221431.tif 000021
【図９Ｄ】
2014221431.tif 000022
【図１０】
2014221431.tif 000023
【図１１】
2014221431.tif 000024
【図１２】
2014221431.tif 000025
【図１３】
2014221431.tif 000026
【図１４】
2014221431.tif 000027
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
電気歯ブラシを使用している子供によるブラッシングを促進するためのシステムであって、
使用中のパワー歯ブラシに関するディスプレイデバイスを有し、
前記ディスプレイデバイスは、前記パワー歯ブラシの使用が、開始される時間からブラッシングイベントに関する所望時間の期間の終端まで継続する場合に、選択された項目が初期状態から最後の所望状態へと視覚的に進展するディスプレイプログラムを含む、システム。
【請求項２】
前記ディスプレイデバイスは、前記パワー歯ブラシから分離している、請求項１に記載のシステム。
【請求項３】
前記ディスプレイデバイスは、前記パワー歯ブラシの一部である、請求項１に記載のシステム。
【請求項４】
前記所望時間の期間は、約２分である、請求項１に記載のシステム。
【請求項５】
前記ディスプレイデバイスに付随するオーディオ要素を含む、請求項１に記載のシステム。
【請求項６】
前記オーディオ要素は、音楽である、請求項１に記載のシステム。
【請求項７】
所望時間の期間にブラッシングを行うユーザの不履行の程度に依存して、前記選択された項目が、視覚的に進行を停止したり、劣化したりする、請求項１に記載のシステム。
【請求項８】
前記選択された項目の進行は、植物又は動物の成長又は発達を有する、請求項１に記載のシステム。
【請求項９】
前記選択された項目の進行は、選択されたタスクにおけるマシン動作を有する、請求項１に記載のシステム。
【請求項１０】
前記項目の進行又は劣化は、前記パワー歯ブラシの使用の経過時間、ユーザによる歯に対する前記パワー歯ブラシの圧力、又は前記歯のブラッシングエリアの対象範囲に依存する、請求項１に記載のシステム。
【請求項１１】
前記ディスプレイデバイスは、現在行っている及びブラッシングの期間において前にブラッシングが行われた歯の表示を伴って示される、歯をそなえた顔の画像である、請求項１に記載のシステム。
【請求項１２】
子供による前記パワー歯ブラシのブラッシングの使用を示すデータディスプレイを含む、請求項１に記載のシステム。
【請求項１３】
種々の年齢の子供による使用のためにパワー歯ブラシの動作特性を調節するシステムであって、
子供ユーザの選択年齢に関連付けられた、制御システムによって実行された前記パワー歯ブラシの動作特性を調節するために、内部又は外部ソースからの命令に応答するパワー歯ブラシと、
動作特性の選択レベルで前記パワー歯ブラシの動作を開始するエントリシステムとを有する、システム。
【請求項１４】
前記内部ソースは、ユーザの年齢に応じて前記制御システムにより生成される、前記動作特性を自動で調節する格納プログラムである、請求項１３に記載のシステム。
【請求項１５】
前記制御システムは、マイクロプロセッサを含む、請求項１３に記載のシステム。
【請求項１６】
前記パワー歯ブラシは、ユーザの選択年齢に関する動作特性を含むヘッド部分を含み、
前記ヘッド部分における前記動作特性は、前記ヘッド部分が前記パワー歯ブラシのハンドル部分に挿入されると前記制御システムに伝達され、
前記ヘッド部分は、子供の異なる年齢に適した動作特性を持つ異なるヘッド部分に交換可能である、請求項１３に記載のシステム。
【請求項１７】
前記開始の動作は、前記パワー歯ブラシに関連した充電器と前記パワー歯ブラシにおけるチャージコイル部とを介して実行される、請求項１３に記載のシステム。
【請求項１８】
前記開始の動作は、ＲＦＩＤチップにより実行される、請求項１３に記載のシステム。
【請求項１９】
前記開始の動作は、前記制御システムと通信する前記パワー歯ブラシ上のボタンにより実行される、請求項１３に記載のシステム。
【請求項２０】
前記開始の動作は、前記パワー歯ブラシのポート部分で受信されるように構成されたカートリッジで実行される、請求項１３に記載のシステム。
【請求項２１】
子供ユーザの選択年齢に関する動作特性は、ＲＦＩＤ部により供給される、請求項１３に記載のシステム。
【請求項２２】
子供の選択年齢に関する動作特性は、前記パワー歯ブラシに適合し、動作を開始する又は前記パワー歯ブラシに動作特性を供給する通信システムを含む被覆アセンブリにより供給される、請求項１３に記載のシステム。
【請求項２３】
前記通信システムは、前記パワー歯ブラシ上の受信エレメントと接触するコンタクトエレメントを有する、請求項２２に記載のシステム。
【請求項２４】
前記通信システムは、前記被覆アセンブリにおけるＲＦＩＤ部と、前記パワー歯ブラシ上の受信アセンブリとを有する、請求項２２に記載のシステム。
【請求項２５】
前記通信システムは、ホール効果アセンブリである、請求項２２に記載のシステム。
【請求項２６】
前記通信システムは、前記被覆アセンブリ上のマグネットアセンブリと、前記パワー歯ブラシ上の受信エレメントとを含む、請求項２２に記載のシステム。
【請求項２７】
選択年齢に関する動作特性は、前記パワー歯ブラシのポート部分で受信されるように構成されたカートリッジにより供給される、請求項１３に記載のシステム。
【請求項２８】
前記動作特性は、振幅、周波数、動作時間、及びブラッシング圧力のうちの選択された１又はそれ以上を含む、請求項１３に記載のシステム。